(57)【特許請求の範囲】
【請求項１】
複数の排気流路を１つの排気流路に合流させる合流流路を有する排気管と、
前記合流流路において排ガスの状態を検出するセンサである排気センサと、
前記合流流路において前記排気センサを覆うことにより、前記排気センサが収容された空間である収容空間を有するカバーと、
を備え、
前記カバーの外面における前記合流流路の上流側に面する部分である上流面には、前記収容空間に排ガスを流入させるための貫通孔である少なくとも１つの入口孔が、前記複数の排気流路のそれぞれに対応する位置に設けられており、
前記カバーの前記外面における前記上流面以外の部分には、前記収容空間から排ガスを流出させるための貫通孔である少なくとも１つの出口孔が、前記排気センサの近傍の位置に設けられており、
前記カバーは、前記排気管と別部品である、排気状態検出装置。
【請求項２】
複数の排気流路を１つの排気流路に合流させる合流流路を有する排気管と、
前記合流流路において排ガスの状態を検出するセンサである排気センサと、
前記合流流路において前記排気センサを覆うことにより、前記排気センサが収容された空間である収容空間を有するカバーと、
を備え、
前記カバーの外面における前記合流流路の上流側に面する部分である上流面には、前記収容空間に排ガスを流入させるための貫通孔である少なくとも１つの入口孔が、前記複数の排気流路のそれぞれに対応する位置に設けられており、
前記カバーの前記外面における前記上流面以外の部分には、前記収容空間から排ガスを流出させるための貫通孔である少なくとも１つの出口孔が、前記排気センサの近傍の位置に設けられており、
前記カバーは、一端が閉塞した円筒状の突出部を有し、
前記突出部の内部には、前記収容空間が形成されており、
前記カバーは、つば部を有し、
前記排気管には、前記排気センサ及び前記カバーを配設するための貫通孔が設けられており、
前記突出部は、前記排気管の外側から前記貫通孔に挿入された状態で、前記排気管の外面に当接した前記つば部が溶接されることにより、前記排気管に配設されている、排気状態検出装置。
【請求項３】
複数の排気流路を１つの排気流路に合流させる合流流路を有する排気管と、
前記合流流路において排ガスの状態を検出するセンサである排気センサと、
前記合流流路において前記排気センサを覆うことにより、前記排気センサが収容された空間である収容空間を有するカバーと、
を備え、
前記カバーの外面における前記合流流路の上流側に面する部分である上流面には、前記収容空間に排ガスを流入させるための貫通孔である少なくとも１つの入口孔が、前記複数の排気流路のそれぞれに対応する位置に設けられており、
前記カバーの前記外面における前記上流面以外の部分には、前記収容空間から排ガスを流出させるための貫通孔である少なくとも１つの出口孔が、前記排気センサの近傍の位置に設けられており、
前記排気センサ及び前記カバーは、前記カバーの内面を基準とする、前記複数の排気流路のそれぞれに対応する位置ごとに設けられた前記少なくとも１つの入口孔のそれぞれの中心と前記出口孔の中心とを結んだ、複数の直線を引いた場合、前記複数の直線がいずれも前記排気センサによって遮られる位置関係にある、排気状態検出装置。
【請求項４】
請求項１から請求項３までのいずれか１項に記載の排気状態検出装置であって、
前記複数の排気流路のそれぞれに対応する前記入口孔の合計面積はそれぞれ、前記出口孔の合計面積よりも小さい、排気状態検出装置。
【請求項５】
請求項１から請求項４までのいずれか１項に記載の排気状態検出装置であって、
前記収容空間は、前記入口孔及び前記出口孔のみによって前記収容空間の外部と連通されている、排気状態検出装置。
【請求項６】
請求項１から請求項５までのいずれか１項に記載の排気状態検出装置であって、
前記出口孔は、前記カバーの前記外面における前記上流面以外の部分において、前記排気センサと対向する位置に設けられている、排気状態検出装置。
【発明の詳細な説明】
【技術分野】
【０００１】
本発明は、内燃機関から排出される排ガスの状態を検出する排気状態検出装置に関する。
【背景技術】
【０００２】
内燃機関から排出される排ガスの状態を判断するため、排気流路に排ガスの成分を検出する排気センサを設けた排気状態検出装置が知られている。ところで、内燃機関から排出される排ガスは、例えば内燃機関における気筒間の燃焼状態のばらつきなどにより、排気流路において一様でなくばらついている。また、各気筒から排出された排ガスの排気流路を形成する複数の枝管を通過する排ガスのうち、排気センサによって検出されるのは、排気センサの近くに開口する枝管を通過した排ガスが多く、排気センサから離れた位置に開口する枝管を通過した排ガスは、排気センサによって検出されずに流れやすい。その結果、排ガスにおける排気センサによって検出される条件のばらつきが大きくなり、排気センサに基づく排ガスの成分の判断を正確に行えないという問題があった。
【０００３】
このような問題を解決するために、各気筒から流出した排ガスが合流する合流流路に開口する複数の枝管における下流側端部と、排気センサとの間に、筒状の誘導部材を設けた排気浄化装置が提案されている（特許文献１参照）。誘導部材は、各枝管から流出した排ガスを、誘導部材の筒部に設けられた複数の貫通孔及び誘導部材の端部から誘導部材の内部へ流入させ、排気センサへ誘導する。このような誘導部材が設けられた排気浄化装置では、各枝管から流出した排ガスの排気センサによって検出される条件を近づけ、排ガスを排気センサに当てることができる。
【先行技術文献】
【特許文献】
【０００４】
【特許文献１】特開２０００−７３７４８号公報
【発明の概要】
【発明が解決しようとする課題】
【０００５】
しかしながら、前述した特許文献１に記載の排気浄化装置では、誘導部材の貫通孔が枝管の開口部に対応付けられて形成されていない、枝管と誘導部材との位置関係が存在する。そうすると、枝管から流出した排ガスの流れが誘導部材の外面により妨げられ、排ガスが排気センサに届くまで時間を要し、排ガスの適切な検出性能が保たれない恐れがあった。
【０００６】
本発明は、複数の排気流路から流出した排ガスが排気センサによって検出される条件をそれぞれ近づけ、かつ排ガスの流れの勢いを妨げにくい排気状態検出装置の提供を目的としている。
【課題を解決するための手段】
【０００７】
本発明の一側面は、排気状態検出装置であって、排気管と、排気センサと、カバーと、を備える。排気管は、複数の排気流路を１つの排気流路に合流させる合流流路を有する。排気センサは、合流流路において排ガスの状態を検出するセンサである。カバーは、合流流路において排気センサを覆うことにより、排気センサが収容された空間である収容空間を有する。具体的には、カバーの外面における合流流路の上流側に面する部分である上流面には、収容空間に排ガスを流入させるための貫通孔である少なくとも１つの入口孔が、複数の排気流路のそれぞれに対応する位置に設けられている。また、カバーの外面における上流面以外の部分には、収容空間から排ガスを流出させるための貫通孔である少なくとも１つの出口孔が、排気センサの近傍の位置に設けられている。
【０００８】
このような構成によれば、排気センサを覆うカバーによって、複数の排気流路から合流流路へ流入した排ガスが排気センサによって検出される条件をそれぞれ近づけることができ、かつ排ガスの流れの勢いを妨げにくい排気状態検出装置の提供が可能となる。
【０００９】
上記構成において、複数の排気流路のそれぞれに対応する入口孔の合計面積はそれぞれ、出口孔の合計面積よりも小さくてもよい。仮に、出口孔の合計面積が当該入口孔の合計面積よりも小さいとする。そうすると、当該入口孔の合計面積を大きくしたとしても、当該入口孔の合計面積が収容空間に流入する排ガスの流入量に与える影響は小さい。これに対し、複数の排気流路のそれぞれに対応する入口孔の合計面積がそれぞれ出口孔の合計面積よりも小さいと、当該入口孔の合計面積が収容空間に流入する排ガスの流入量に与える影響を大きくすることができる。
【００１０】
上記構成において、収容空間は、入口孔及び出口孔のみによって収容空間の外部と連通されていてもよい。このような構成によれば、入口孔から流入し出口孔から流出する排ガスの流れのみが収容空間内に発生しやすくなる。これにより、カバーに入口孔及び出口孔以外の孔が設けられている場合と比較して、排気センサ付近を通過する排ガスの量を増やすことができる。
【００１１】
上記構成において、出口孔は、カバーの外面における上流面以外の部分において、排気センサと対向する位置に設けられていてもよい。このような構成によれば、入口孔から収容空間へ流入した排ガスが、排気センサ付近を通過してから流出しやすくなる。これにより、排気センサの近傍にない入口孔から収容空間に排ガスも、排気センサに検出されやすくなる。その結果、入口孔から収容空間へ流入した排ガスが排気センサによって検出される条件をそれぞれ近づけることができる。
【図面の簡単な説明】
【００１２】
【図１】本実施形態の排気システムの外観図である。
【図２】図１のII−II断面図である。
【図３】図３（Ａ）はカバーの斜視図、図３（Ｂ）はある方向から見たカバーの図、図３（Ｃ）は図３（Ｂ）の方向と反対側の方向から見たカバーの図である。
【発明を実施するための形態】
【００１３】
以下、本発明の例示的な実施形態について図面を参照しながら説明する。
［１．構成］
図１及び図２に示す排気システム１００は、車両の内燃機関の各気筒（図示せず）から排出された排ガスを車両の外へ導くための排気流路の一部を形成する。排気システム１００は、エキゾーストマニホールド１と、コーン２と、排気センサ３と、カバー４と、触媒ケース５と、コーン６と、を備える。
【００１４】
エキゾーストマニホールド１は、複数（この例では４つ）の気筒のそれぞれから排出された排ガスを合流させて、後述するコーン２の内部へと導く排気流路を形成する。エキゾーストマニホールド１は、概略Ｙ字状に形成された２つの枝管である、枝管１１及び枝管１２を有する。図１に示すように、枝管１１の上流部（Ｙ字状のＶを形成する部分）である管部１１Ａ及び管部１１Ｂは、管部１１Ａ及び管部１１Ｂのそれぞれに対応する気筒から排出された排ガスの排気流路を形成する。枝管１１の下流部（Ｙ字状のＩを形成する部分）である管部１１Ｃは、管部１１Ａ及び管部１１Ｂの排気流路が合流しコーン２へとつながる流路を形成する。枝管１１と同様、枝管１２の上流部（Ｙ字状のＶを形成する部分）である管部１２Ａ及び管部１２Ｂは、管部１２Ａ及び管部１２Ｂのそれぞれに対応する気筒から排出された排ガスの排気流路を形成する。枝管１２の下流部（Ｙ字状のＩを形成する部分）である管部１２Ｃは、管部１２Ａ及び管部１２Ｂの排気流路が合流しコーン２へとつながる流路を形成する。また、図２に示すように、管部１１Ｃの下流側端部及び管部１２Ｃの下流側端部は、コーン２の内部に開口している。
【００１５】
コーン２は、エキゾーストマニホールド１の下流側に設けられている。コーン２は、枝管１１及び枝管１２とともに、複数の気筒から流出した排ガスを合流させ触媒ケース５へ導く排気流路である合流流路を形成する。コーン２には、後述する排気センサ３及びカバー４を配設するための貫通孔２Ａが形成されている。
【００１６】
排気センサ３は、排ガスの状態（本実施形態では酸素濃度）を検出するためのセンサである。排気センサ３は、合流流路における合流後の部分に、言い換えればコーン２の内部に設けられている。具体的には、排気センサ３は、コーン２により形成される排気流路に、排ガスの状態、より詳しくは排ガスの酸素濃度の検出部分であるセンサ部が突出するように、貫通孔２Ａを介して配設される。
【００１７】
カバー４は、図３（Ａ）、図３（Ｂ）及び図３（Ｃ）に示すように、つば部４１と、一端が閉塞し、断面が真円である円筒状の突出部４２とを有する部材である。つば部４１及び突出部４２は、絞り加工によって形成される。図２に示すように、突出部４２の内部には、排気センサ３を覆うための収容空間４３が形成されている。
【００１８】
突出部４２には、突出部４２の外面における合流流路の上流側に面する部分である上流面（図２でいうカバー４の上側）に、２つの入口孔である、入口孔４Ａ及び入口孔４Ｂが設けられている。入口孔４Ａ及び入口孔４Ｂは、収容空間４３に排ガスを流入させるための真円状の貫通孔である。図２に示すように、入口孔４Ａは管部１１Ｃに対応する位置、具体的には、管部１１Ｃにおける下流側端部の投影面の範囲内に存在する。また、入口孔４Ｂは管部１２Ｃに対応する位置、具体的には、管部１２Ｃにおける下流側端部の投影面の範囲内に存在する。より詳しくは、入口孔４Ａは、枝管１１を通る排ガスの流れである流れＦ１がカバー４を通過しやすい場所に設けられている。入口孔４Ｂも、枝管１２を通る排ガスの流れである流れＦ２がカバー４を通過しやすい場所に設けられている。なお、本実施形態では、管部１１Ｃの下流側端部における中心軸は入口孔４Ａの中心を通り、管部１２Ｃの下流側端部における中心軸は入口孔４Ｂの中心を通る位置関係にある。
【００１９】
また、カバー４（具体的には突出部４２）には、突出部４２の外面における上流面以外の部分、より詳しくは突出部４２の外面における合流流路の下流側に面する部分である下流面（この例では、図２でいうカバー４の下側）に、１つの出口孔である、出口孔４Ｃが設けられている。出口孔４Ｃは、収容空間４３から排ガスを流出させるための真円状の貫通孔である。図２に示すように、出口孔４Ｃは、下流面において排気センサ３と対向する位置（この例では、図２でいう排気センサ３の真下）に存在する。排気センサ３及びカバー４は、カバー４の内面を基準とする、入口孔４Ａの中心と出口孔４Ｃの中心とを結んだ直線及び入口孔４Ｂの中心と出口孔４Ｃの中心とを結んだ直線を引いた場合、どちらの直線も排気センサによって遮られる位置関係にある。
【００２０】
収容空間４３は、入口孔４Ａ、入口孔４Ｂ及び出口孔４Ｃによって、収容空間４３の外部の排気流路と連通されている。換言すれば、カバー４には、入口孔４Ａ、入口孔４Ｂ及び出口孔４Ｃ以外の貫通孔は設けられていない。なお、入口孔４Ａの面積と入口孔４Ｂの面積とは等しく、それぞれ出口孔４Ｃの面積よりも小さい。
【００２１】
図２に示すように、カバー４は、コーン２の外側から突出部４２が貫通孔２Ａに挿入された状態で、コーン２の外面に当接したつば部４１が溶接されることにより、コーン２に配設されている。また、排気センサ３は、センサ部が収容空間４３に挿入された状態で固定される。つまり、突出部４２は、排気センサ３を覆うように、コーン２の内面よりも内側（排気流路）に突出する。
【００２２】
触媒ケース５は、コーン２の下流側で排気流路を形成し、排ガスを浄化するための触媒（図示せず）を収容する。
コーン６は、触媒ケース５の下流側で、触媒ケース５に収容されている触媒によって浄化され流出した排ガスの排気流路を形成する。
【００２３】
［２．作用］
次に、本実施形態の排気システム１００の作用について説明する。
複数の気筒から排出された排ガスは、各気筒に対応する管部１１Ａ、管部１１Ｂ、管部１２Ａ及び管部１２Ｂに流入する。具体的には、管部１１Ａ及び管部１１Ｂに流入した排ガスは管部１１Ｃを通り、コーン２に流入する。管部１２Ａ及び管部１２Ｂに流入した排ガスは管部１２Ｃを通り、コーン２に流入する。つまり、枝管１１及び枝管１２を通過した排ガスは、コーン２の内部にて合流する。
【００２４】
図２の流れＦ１に示すように、枝管１１からコーン２に流入した排ガスの一部は、排ガスの流れの下流方向に入口孔４Ａが設けられているため、排ガスの流れの勢いが妨げられにくいまま、入口孔４Ａから収容空間４３に流入する。入口孔４Ａから収容空間４３へ流入した排ガスは、入口孔４Ａよりも下流側に設けられている出口孔４Ｃの方向へ導かれる。入口孔４Ａ及び出口孔４Ｃは共に、排気センサ３の近傍の位置に設けられている。このため、入口孔４Ａから収容空間４３へ流入した排ガスは、そのまま排気センサ３を横切る方向（この例では、図２でいう入口孔４Ａから真下の方向）へ導かれる。よって、入口孔４Ａから収容空間４３へ流入した排ガスは、排気センサ３付近を通過した後、出口孔４Ｃから収容空間４３の外へ流出する。
【００２５】
一方、流れＦ２に示すように、枝管１２からコーン２に流入した排ガスの一部は、排ガスの流れの下流方向に入口孔４Ｂが設けられているため、流れの勢いが妨げられにくいまま、入口孔４Ｂから収容空間４３に流入する。入口孔４Ｂから収容空間４３へ流入した排ガスは、入口孔４Ｂよりも下流側に設けられている出口孔４Ｃの方向へ導かれる。入口孔４Ｂは、排気センサ３から離れた位置に設けられているが、出口孔４Ｃは排気センサ３の近傍の位置に設けられている。このため、入口孔４Ｂから収容空間４３へ流入した排ガスは、排気センサ３が設けられた方向（この例では、図２でいう入口孔４Ｂから斜め右下の方向）へ導かれる。よって、入口孔４Ｂから収容空間４３へ流入した排ガスは、排気センサ３付近を通過した後、出口孔４Ｃから収容空間４３の外へ流出する。
【００２６】
出口孔４Ｃから収容空間４３の外へ流出した排ガスは、触媒ケース５へ導かれ、触媒ケース５に収容されている触媒によって浄化される。浄化された排ガスは、触媒ケースからコーン６へ流出した後、さらに下流の管へ導かれる。
【００２７】
［３．効果］
以上詳述した実施形態によれば、以下の効果が得られる。
（１ａ）カバー４の外面における上流面には、枝管１１における下流側端部の投影面の範囲内及び枝管１２における下流側端部の投影面の範囲内に入口孔４Ａ及び入口孔４Ｂが存在する。また、カバー４の外面における下流面の部分には、排気センサ３と対向する位置に出口孔４Ｃが設けられている。
【００２８】
このような構成によれば、コーン２に流入した排ガスの一部は、カバー４に設けられた入口孔４Ａ及び入口孔４Ｂから収容空間４３に流入する。収容空間４３に流入した排ガスは、出口孔４Ｃの方向へ導かれ、排気センサ３付近を通過し出口孔４Ｃから収容空間４３の外部へ流出する。つまり、入口孔４Ａ及び入口孔４Ｂから収容空間４３に流入した排ガスはいずれも、排気センサ３付近を通過するように出口孔４Ｃへ導かれる。したがって、本実施形態によれば、枝管１１及び枝管１２のそれぞれからコーン２へ流入した排ガスが排気センサ３によって検出される条件をそれぞれ近づけることができ、かつ排ガスの流れの勢いを妨げにくくすることができる。
【００２９】
（１ｂ）入口孔４Ａの面積及び入口孔４Ｂの面積はそれぞれ、出口孔４Ｃの面積よりも小さい。仮に、出口孔４Ｃの面積が入口孔４Ａの面積及び入口孔４Ｂの面積のそれぞれよりも小さいとすると、入口孔４Ａの面積及び入口孔４Ｂの面積が収容空間４３に流入する排ガスの流入量に与える影響は小さい。これに対し、本実施形態のように、入口孔４Ａの面積及び入口孔４Ｂの面積がそれぞれ出口孔４Ｃの面積よりも小さいと、入口孔４Ａの面積及び入口孔４Ｂの面積が収容空間４３に流入する排ガスの流入量に与える影響を大きくすることができる。その結果、排気センサ３から離れた位置に設けられた入口孔４Ｂの面積を入口孔４Ａの面積よりも大きくして、収容空間４３に流入する排ガスの流入量を増やすといったように、入口孔４Ａ及び入口孔４Ｂから収容空間４３に流入する排ガスの流入量を調整しやすくすることができる。
【００３０】
（１ｃ）収容空間４３は、入口孔４Ａ、入口孔４Ｂ及び出口孔４Ｃのみによって排気流路と連通されている。このような構成によれば、入口孔４Ａ及び入口孔４Ｂから流入し出口孔４Ｃから流出する排ガスの流れのみが収容空間４３内に発生しやすくなる。これにより、カバー４に入口孔４Ａ、入口孔４Ｂ及び出口孔４Ｃ以外の孔が設けられている場合と比較して、排気センサ３付近を通過する排ガスの量を増やすことができる。
【００３１】
（１ｄ）出口孔４Ｃは、突出部４２の外面における下流面において、排気センサ３と対向する位置に設けられている。このような構成によれば、入口孔４Ａ及び入口孔４Ｂから収容空間４３へ流入した排ガスが、排気センサ３付近を通過してから流出しやすくなる。これにより、排気センサ３の近傍にない入口孔４Ｂから収容空間４３に流入した排ガスも、排気センサ３に検出されやすくなる。その結果、入口孔４Ａ及び入口孔４Ｂから収容空間４３へ流入した排ガスが排気センサ３によって検出される条件をそれぞれ近づけることができる。
【００３２】
なお、本実施形態では、排気システム１００におけるエキゾーストマニホールド１、コーン２、排気センサ３及びカバー４を備える部分が排気状態検出装置の一例に相当する。また、枝管１１、枝管１２、コーン２が排気管の一例に相当する。
【００３３】
［４．他の実施形態］
以上、本発明の実施形態について説明したが、本発明は、上記実施形態に限定されることなく、種々の形態を採り得ることは言うまでもない。
【００３４】
（２ａ）上記実施形態では、Ｙ字状の枝管１１及び枝管１２によって、４つの気筒のそれぞれから排出された排ガスをコーン２へと導く排気流路を形成するエキゾーストマニホールド１を例示した。しかし、各気筒及びエキゾーストマニホールドの構成は、これに限定されるものではない。例えば、４つの気筒に対応する枝管が、Ｙ字状の分岐した２つの枝管ではなく、Ｉ字状の分岐していない４つの枝管によって構成されてもよい。また例えば、気筒の数及び各気筒に対応する枝管の数は、４つ以外でもよい。
【００３５】
（２ｂ）上記実施形態では、排ガスに含まれる酸素濃度を排ガスの状態として検出する酸素センサを、排気センサ３として例示したが、排気センサの構成はこれに限定されるものではない。例えば、排気センサとして、排ガスに含まれるＮＯｘを排ガスの状態として検出するＮＯｘセンサ、排ガスの空燃比の状態を排ガスの状態として検出する空燃比センサ又は排ガスの温度を排ガスの状態として検出する温度センサが用いられてもよい。
【００３６】
（２ｃ）上記実施形態では、断面が真円状のカバー４がコーン２に配設されている構成を例示したが、カバーの形状はこれに限定されるものではない。例えば、カバーは断面が楕円状や四角形状でもよい。
【００３７】
（２ｄ）上記実施形態では、カバー４が絞り加工によって形成される構成を例示したが、カバーの形成方法はこれに限定されるものではない。例えば、カバーは、パイプ部材を用いて形成されてもよく、また他の方法によって形成されてもよい。
【００３８】
（２ｅ）上記実施形態では、カバー４が溶接によりコーン２に配設される構成を例示したが、カバー４に対するコーン２の配設方法はこれに限定されるものではない。例えば、カバー４はろう付けによってコーン２に配設されてもよい。また、カバー４は、螺合によってコーン２に配設されてもよい。
【００３９】
（２ｆ）上記実施形態では、カバー４に、入口孔４Ａ、入口孔４Ｂ及び出口孔４Ｃが設けられている構成を例示したが、カバーに設けられる孔の数及び形状はこれに限定されるものではない。例えば、カバーには、３つ以上の入口孔又は２つ以上の出口孔が設けられてもよい。具体的には、例えば枝管１１又は枝管１２に対応する入口孔はそれぞれ２つ以上でもよい。また例えば、入口孔及び出口孔の形状は、真円状ではなく、楕円状など、他の形状でもよい。
【００４０】
（２ｇ）上記実施形態では、入口孔４Ａの面積及び入口孔４Ｂの面積がそれぞれ出口孔４Ｃの面積よりも小さい構成を例示したが、入口孔の構成はこれに限定されるものではない。例えば、複数の枝管のそれぞれに対応する位置に少なくとも１つずつ設けられた入口孔のうち、少なくとも１つの枝管に対応する入口孔の合計面積が、少なくとも１つ設けられた出口孔の合計面積よりも大きくてもよい。
【００４１】
（２ｈ）上記実施形態では、入口孔４Ａの面積と入口孔４Ｂの面積とが等しい構成を例示したが、複数の入口孔の構成はこれに限定されるものではない。例えば、複数の枝管のそれぞれに対応する位置に少なくとも１つずつ設けられた入口孔の各合計面積が異なる値に設定されていてもよい。具体的には、複数の枝管のそれぞれに対応する位置に設けられた入口孔のうち、排気センサから遠い入口孔から流入する排ガスは、排気センサに近い入口孔から流入する排ガスと比較して、排気センサによって検出されにくい場合も生じ得る。そこで、排気センサから遠い入口孔の合計面積を排気センサに近い入口孔の合計面積よりも大きくしてもよい。こうすることにより、異なる位置の入口孔から流入した排ガスが排気センサによって検出される条件を一層近づけることができる。
【００４２】
（２ｉ）上記実施形態では、出口孔４Ｃが、排気センサ３と対向する位置、具体的には図２でいう排気センサ３の真下に設けられている構成を例示したが、出口孔の位置はこれに限定されない。出口孔は、排気センサ３と対向する他の位置、例えば、図２でいう排気センサ３の斜め下方向の位置に設けられていてもよい。また例えば、出口孔は、排気センサ３の先端部よりも排気センサ３から離れた位置など、排気センサ３と対向する位置ではないが、排気センサ３の近傍の位置に設けられていてもよい。
【００４３】
（２ｊ）上記実施形態では、入口孔４Ａが管部１１Ｃにおける下流側端部の投影面の範囲内に存在し、入口孔４Ｂが管部１２Ｃにおける下流側端部の投影面の範囲内に存在する構成を例示した。しかし、入口孔４Ａ及び入口孔４Ｂの位置はこれに限定されるものではない。入口孔４Ａは管部１１Ｃにおける下流側端部の投影面の少なくとも一部、入口孔４Ｂは管部１２Ｃにおける下流側端部の投影面の少なくとも一部、と重なる位置に存在してもよい。また例えば、入口孔４Ａは、管部１１Ｃにおける下流側端部の中心軸が入口孔４Ａに入る位置、入口孔４Ｂは、管部１２Ｃにおける下流側端部の中心軸が入口孔４Ｂに入る位置、に存在してもよい。
【００４４】
（２ｋ）上記実施形態における１つの構成要素が有する機能を複数の構成要素として分散させたり、複数の構成要素が有する機能を１つの構成要素に統合したりしてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【００４５】
１…エキゾーストマニホールド、２…コーン、２Ａ…貫通孔、３…排気センサ、４…カバー、４Ａ，４Ｂ…入口孔、４Ｃ…出口孔、５…触媒ケース、６…コーン、１１，１２…枝管、４１…つば部、４２…突出部、４３…収容空間、１００…排気システム。
【図１】
0006430916.tif 000002
【図２】
0006430916.tif 000003
【図３】
0006430916.tif 000004